(57)【要約】【課題】側頭部にあるツボを適度な力で、且つ位置ずれなども抑えられた状態で指圧することができ、偏頭痛などの不快な身体的症状を緩和させることができる眼鏡フレームを提供すること。【解決手段】眼鏡のフロント部１０の両側に連結部２０を介して起伏動自在に連結された耳掛け部分のないツル３０と、ツル３０の先端部に取付けられた指圧部４０とを含み、ツル３０が、着用時に内側に付勢される態様で連結部２０と連結され、且つその中央部付近から先端部付近までが外側に湾曲され、先端部が着用時に耳の手前の頬骨弓の上方部に位置する形状に形成されている。【選択図】図１
0003136120.tif 000002
【実用新案登録請求の範囲】
【請求項１】
眼鏡のフロント部の両側に連結部を介して起伏動自在に連結された耳掛け部分のないツ
ルと、
該ツルの先端部に取付けられた指圧部とを含み、
前記ツルが、着用時に内側に付勢される態様で前記連結部と連結され、且つその中央部
付近から先端部付近までが外側に湾曲され、該先端部が着用時に耳の手前の頬骨弓の上方
部に位置する形状に形成されていることを特徴とする眼鏡フレーム。
【請求項２】
前記ツルを着用時に内側に付勢させるために、前記連結部における前記ツルとの連結部
分に弾性部材が配設されていることを特徴とする請求項１記載の眼鏡フレーム。
【請求項３】
前記指圧部が、側頭部との当接面に凸部が形成された指圧部材と、該指圧部材を保持す
る保持部材とを含んで構成されていることを特徴とする請求項１又は請求項２記載の眼鏡
フレーム。
【請求項４】
前記指圧部が、指圧部材と、該指圧部材を保持する保持部材とを含んで構成され、
前記指圧部材が、側頭部との当接面に押圧力が得られるように弾性部材を介して保持部
材に取付けられているものであることを特徴とする請求項１又は請求項２記載の眼鏡フレ
ーム。
【考案の詳細な説明】
【技術分野】
【０００１】
本考案は眼鏡フレームに関し、より詳細には、着用することにより偏頭痛などの不快な
症状を緩和させることのできる眼鏡フレームに関する。
【背景技術】
【０００２】
従来より、眼鏡に磁気治療効果（すなわち、磁石の磁力線による血行促進効果）をもた
せるために、眼鏡フレームの左右の耳掛け部や鼻当て部に小さな磁石が埋め込まれた眼鏡
（下記の特許文献１、２参照）や、顔面のこめかみ部位や眉の端部位等の位置と当接し得
るように磁石が取り付けられた眼鏡（下記の特許文献３参照）が提案されている。
【０００３】
また、軽量かつコンパクト性を高め、携帯性にも優れた眼鏡とするために、眼鏡のツル
の長さを短くして、耳掛け部分をなくし、ツルの先端部をこめかみ部分に当てた状態で着
用できるように構成された眼鏡（下記の特許文献４〜６）も提案されており、さらに、特
許文献４、５には、ツルのこめかみ部分に当接し得る位置に磁石やゲルマニウムを取り付
ける構成も開示されている。
【０００４】
図７は、特許文献４に開示された従来の耳掛け部分のない眼鏡を模式的に示した全体斜
視図である。図中１００は、眼鏡本体を示しており、１０１は短く形成されたツル、１０
２は平らに形成されたツル１０１の先端部、１０３はフロント部１０４とツル１０１との
接続部である。なお、接続部１０３には、顔の側面にフィットさせるためにバネ（図示せ
ず）が使用されることや、ツル１０１の先端部１０２に、ゲルマニウムや磁気（図示せず
）を取り付けてもよいことが特許文献４に記載されている。
【０００５】
特許文献４記載の眼鏡によれば、フロント部１０４とツル１０１との接続部１０３にバ
ネを使用することにより、着用時にフィット感を高めることができるとしている。係る構
成の眼鏡のように、ツル１０１の先端部１０２で顔のこめかみ部分を押えるのであれば、
ある程度のフィット感を得ることは可能のように思われるが、ツル１０１の先端部１０２
で、髪の毛が生えている側頭部にあるツボ（頭痛の緩和に効果のあるツボ）、例えば、耳
の手前の頬骨弓の上方部にある懸釐（けんり）等を適度に刺激できる指圧力を得ることは
難しく、また、ツル１０１が位置ずれすることなく指圧状態を維持することも難しいとい
う課題があった。
【特許文献１】登録実用新案第３０２４１６５号公報
【特許文献２】特開２０００−１２６３１４号公報
【特許文献３】実開昭６３−２００４５２号公報
【特許文献４】登録実用新案第３１１９４９１号公報
【特許文献５】特開平１０−１８６２８７号公報
【特許文献６】特開平９−２５８１４３号公報
【考案の開示】
【課題を解決するための手段及びその効果】
【０００６】
本考案は上記課題に鑑みなされたものであって、側頭部にあるツボを適度な力で指圧す
ることができるとともに、ツルの位置ずれなども抑えた形態で指圧状態を維持することが
でき、偏頭痛などの不快な身体的症状を緩和させることができる眼鏡フレームを提供する
ことを目的としている。
【０００７】
すなわち本考案に係る眼鏡フレーム（１）は、眼鏡のフロント部の両側に連結部を介し
て起伏動自在に連結された耳掛け部分のないツルと、該ツルの先端部に取付けられた指圧
部とを含み、前記ツルが、着用時に内側に付勢される態様で前記連結部と連結され、且つ
その中央部付近から先端部付近までが外側に湾曲され、該先端部が着用時に耳の手前の頬
骨弓の上方部に位置する形状に形成されていることを特徴としている。
【０００８】
上記眼鏡フレーム（１）によれば、前記ツルの先端部に設けられた前記指圧部により、
着用時に耳の手前の頬骨弓の上方部にあるツボ（例えば、頭痛の緩和に効果のある懸釐（
けんり）等のツボ）を指圧することができる。また、前記ツルが、着用時に内側に付勢さ
れる態様で前記連結部と連結され、且つその中央部付近から先端部付近までが外側に湾曲
されているので、着用時に、前記ツルが内側に付勢される力、すなわち前記ツルに弾性力
が作用しやすくなっており、着用時における前記指圧部による指圧力を高めることができ
、髪の毛が生えている側頭部にあるツボを適度な力で、且つ位置ずれなども抑えた形態で
指圧状態を維持することができ、偏頭痛などの不快な身体的症状を緩和させることができ
る。
【０００９】
また本考案に係る眼鏡フレーム（２）は、上記眼鏡フレーム（１）において、前記ツル
を着用時に内側に付勢させるために、前記連結部における前記ツルとの連結部分に弾性部
材が配設されていることを特徴としている。
【００１０】
上記眼鏡フレーム（２）によれば、前記連結部における前記ツルとの連結部分に配設さ
れた弾性部材により、着用時に前記ツルを内側に確実に付勢させることができる。また、
前記弾性部材の弾性力を調整することにより、前記指圧部による指圧力の調整も容易に行
うことができる。なお、前記弾性部材には、板バネ、コイルバネ、ネジリコイルバネなど
の各種バネ部材や、ゴムなどの弾力性を有する各種材料から形成されたものを適用するこ
とができる。
【００１１】
また本考案に係る眼鏡フレーム（３）は、上記眼鏡フレーム（１）又は（２）において
、前記指圧部が、側頭部との当接面に凸部が形成された指圧部材と、該指圧部材を保持す
る保持部材とを含んで構成されていることを特徴としている。
【００１２】
上記眼鏡フレーム（３）によれば、前記指圧部が、側頭部との当接面に凸部が形成され
た指圧部材と、該指圧部材を保持する保持部材とを含んで構成されているので、前記指圧
部材に形成されている凸部により、側頭部と当接する位置をピンポイントで指圧すること
ができ、針治療（置鍼）と同様の効果を得ることができる。
【００１３】
また本考案に係る眼鏡フレーム（４）は、上記眼鏡フレーム（１）〜（３）のいずれか
において、前記指圧部が、指圧部材と、該指圧部材を保持する保持部材とを含んで構成さ
れ、前記指圧部材が、側頭部との当接面に押圧力が得られるように弾性部材を介して保持
部材に取付けられているものであることを特徴としている。
【００１４】
上記眼鏡フレーム（４）によれば、前記指圧部が、指圧部材と、該指圧部材を保持する
保持部材とを含んで構成され、前記指圧部材が、側頭部との当接面に押圧力が得られるよ
うに弾性部材を介して保持部材に取付けられているので、前記指圧部材における側頭部と
の当接面が平らな形状であったとしても、前記弾性部材の弾力（押し戻す反発力）により
、着用時に側頭部との当接面に対して、適度な押圧力を作用させることができ、前記指圧
部材による指圧効果を高めることができる。
【考案を実施するための最良の形態】
【００１５】
以下、本考案に係る眼鏡フレームの実施の形態を図面に基づいて説明する。図１は、実
施の形態に係る眼鏡フレームを模式的に示した全体斜視図である。図２は、実施の形態に
係る眼鏡フレームにおけるツルと連結部との連結部分を模式的に示した部分拡大図であり
、（ａ）はツルを起こしたときの平面図、（ｂ）はその側面図、（ｃ）はツルを伏せたと
きの平面図である。図３は、実施の形態に係る眼鏡フレームにおけるツルの先端部に配設
された指圧部を模式的に示した図であり、（ａ）は拡大斜視図、（ｂ）は（ａ）における
Ｂ−Ｂ線断面図である。また、図４は、実施の形態に係る眼鏡フレームを着用した時の状
態を模式的に示した側面図である。
【００１６】
眼鏡フレーム１は、フロント部１０と、フロント部１０の両側に連結部２０を介して起
伏動自在に連結された耳掛け部のないツル（テンプルとも言う）３０とを含んで構成され
ている。
【００１７】
フロント部１０は、レンズ２が装着された左右のレンズフレーム１１と、左右のレンズ
フレーム１１を連結するブリッジ１２と、鼻当てパッド部１３とを含んで構成されている
。なお、フロント部１０の構成は、必ずしもレンズフレーム１１が必要なものではなく、
レンズフレーム１１のないフロント部、すなわち、左右のレンズと、これらレンズを連結
するブリッジと、鼻当てパッド部とを含む構成のフロント部であってもよい。
【００１８】
ツル３０は、フロント部１０の両側に連結部２０を介して起伏動自在に取り付けられた
ものであり、その先端部には、側頭部にあるツボを指圧するための指圧部４０が取り付け
られている。ツル３０やレンズフレーム１１の材質は、特に限定されるものではなく、金
属素材や樹脂素材などが採用され得る。
【００１９】
また、連結部２０におけるツル３０との連結部分には、ツル３０を起伏動可能とするた
めのヒンジ２１と、ツル３０を起した時（着用時）に、ツル３０を内側（伏せる方向）に
付勢させるためのバネ部材２２とが設けられている。
【００２０】
ここでは、バネ部材２２として、図２に示しているように折り重ねられた状態の板バネ
が連結部２０の端部に固着されているが、ツル３０の端部に板バネを固着してもよい。ま
たバネ部材２２は、板バネに限定されるものではなく、別の実施の形態では、図５に示し
たように、ネジリコイルバネ（すなわち、コイルバネの両端から腕部がそれぞれ延設され
たバネ）２３をヒンジ２１Ａの内部に配設する構成としてもよい。すなわち、着用時にツ
ル３０を内側（伏せる方向）に付勢させるように、ネジリコイルバネ２３の一方の腕２３
ａを連結部２０側に、他方の腕２３ｂをツル３０側に取り付ける構成としてもよい。この
場合、着用時にツル３０を内側に付勢させる適度なバネ力が得られるように、ネジリコイ
ルバネ２３の各腕２３ａ、２３ｂの向きなどが調整されており、また、ヒンジ２１Ａの内
部には、ネジリコイルバネ２３を配設するための溝部２１ａが形成されている。
また、これらのバネ部材に限らず、ゴムなど、他の弾性力を有す各種材料から形成され
た弾性部材を設ける構成を適用することもできる。
【００２１】
また、ツル３０の中央部付近から先端部付近までには、外側に湾曲された湾曲部３１が
形成されており、ツル３０の先端部が、着用時に耳の手前の頬骨弓の上方部（この場合、
懸釐（けんり）等の偏頭痛の緩和に効果のあるツボ）に位置するように、すなわち、目の
位置から若干上向きとなるようにツル３０が形成されている。
【００２２】
この湾曲部３１により、着用時に、ツル３０が内側に付勢される力、すなわち、ツル３
０に弾性力が作用しやすくなっており、着用時における指圧部４０による指圧力が高めら
れるとともに、側頭部を指圧した場合であっても眼鏡フレーム１のずれやずり落ちなどの
防止効果が高められるようになっている。
【００２３】
また、指圧部４０は、側頭部との当接面に略円錐形状をした凸部４１ａが形成された指
圧部材４１と、指圧部材４１を保持するための弾力性のある素材、例えば、ゴムなどの弾
力性を有する部材で形成された保持部材４２とを含んで構成されており、ねじなどの取付
部材４３を介して、ツル３０の先端部付近に固着されている。なお、保持部材４２のツル
３０との当接面には、取付部材４３を保持部材４２に固着（例えば、ねじを螺合）させる
ための支持部材４４が配設されている。
【００２４】
指圧部材４１としては、和光電研（株）のロイヤルトップ（登録商標）という製品（直
径約４ｍｍ）を適用することができる。なお、ロイヤルトップは、ステンレスで構成され
ており、丸みを帯びた先端の凸部によって、約５ｋｇ／ｃｍ2の指圧効果を皮膚に与え続
けることができ、置鍼と同様の効果が得られるものである。
【００２５】
なお、指圧部材は、ロイヤルトップのような表面に凸部を有するものだけではなく、別
の実施の形態では、図６に断面図で示したように、側頭部との当接面が略平らな形状の指
圧部材４１Ａ（例えば、磁石など）も適用することができる。
【００２６】
この場合、指圧部材４１Ａによる指圧効果を高めるため、指圧部材４１Ａを保持部材４
２Ａに固定させた状態で取り付けるのではなく、指圧部材４１Ａを、弾性力を有するコイ
ルバネ４５などの弾性部材を介して保持部材４２Ａに取り付ける構成とするのが好ましい
。
【００２７】
係る構成によれば、指圧部材４１Ａが、側頭部との当接面が平らな形状のものであった
としても、コイルバネ４５の弾力（押し戻す反発力）により、着用時に側頭部との当接面
に対して、適度な押圧力を作用させることができ、指圧部材４１Ａによる指圧効果を高め
ることが可能となる。
【００２８】
また、図４には、実施の形態に係る眼鏡フレーム１を着用した時の状態を示している。
ツル３０の先端部に設けられた指圧部４０の指圧部材４１により、着用時に耳の手前の頬
骨弓の上方部にあるツボ（この場合、偏頭痛の緩和に効果のある懸釐（けんり）というツ
ボ）付近が指圧されるようになっている。
【００２９】
なお、連結部２０の形状などは、フロント部１０の幅（すなわち、レンズ２やレンズフ
レーム１１のサイズや形状）などの違いに応じて、適宜着用に適した形状に設定され、連
結部２０とツル３０とを合わせた長さは、大人用の眼鏡であれば、７ｃｍ前後に設定され
ている。
【００３０】
上記実施の形態に係る眼鏡フレーム１によれば、ツル３０の先端部に設けられた指圧部
４０（の指圧部材４１）により、着用時に耳の手前の頬骨弓の上方部にあるツボ（例えば
、偏頭痛の緩和に効果のある懸釐（けんり）等のツボ）を指圧することができる。また、
ツル３０が、着用時に内側に付勢される態様、すなわちバネ部材２２を介して連結部２０
に連結され、且つその中央部付近から先端部付近までが外側に湾曲された湾曲部３１が形
成されているので、着用時に、ツル３０が内側に付勢される力、すなわちツル３０に弾性
力が作用しやすくなっており、着用時における指圧部４０による指圧力を高めることがで
き、髪の毛が生えている側頭部にあるツボを適度な力で、且つ位置ずれなども抑えること
が可能な状態で指圧することができ、偏頭痛などの不快な身体的症状を緩和させることが
できる。
【００３１】
また、連結部２０におけるツル３０との連結部分に配設されたバネ部材２２（やバネ部
材２３）により、着用時にツル３０を内側に確実に付勢させることができる。また、バネ
部材２２（やバネ部材２３）の弾性力を調整することにより、指圧部４０による指圧力の
調整も容易に行うことができる。
【００３２】
また、指圧部４０が、側頭部との当接面に凸部４１ａが形成された指圧部材４１と、指
圧部材４１を保持する保持部材４２とを含んで構成されているので、指圧部材４１に形成
されている凸部４１ａにより、側頭部と当接する位置をピンポイントで指圧することがで
き、針治療（置鍼）と同様の効果を得ることができる。
【図面の簡単な説明】
【００３３】
【図１】本考案の実施の形態に係る眼鏡フレームを模式的に示した全体斜視図である。
【図２】実施の形態に係る眼鏡フレームにおけるツルと連結部との連結部分を模式的に示した部分拡大図であり、（ａ）はツルを起こした状態の平面図、（ｂ）はその側面図、（ｃ）はツルを伏せた状態の平面図である。
【図３】実施の形態に係る眼鏡フレームにおけるツルの先端部に配設された指圧部を模式的に示した図であり、（ａ）は斜視図、（ｂ）は（ａ）におけるＢ−Ｂ線断面図である。
【図４】実施の形態に係る眼鏡フレームを着用した時の状態を模式的に示した側面図である。
【図５】別の実施の形態に係る眼鏡フレームにおけるツルと連結部との連結部分を模式的に示した部分拡大図であり、（ａ）はツルを起こした状態の平面図、（ｂ）はツルを伏せた状態の平面図である。
【図６】別の実施の形態に係る眼鏡フレームにおけるツルの先端部に配設された指圧部を模式的に示した断面図である。
【図７】従来の眼鏡フレームを模式的に示した全体斜視図である。
【符号の説明】
【００３４】
１  眼鏡フレーム
１０  フロント部
２０  連結部
３０  ツル
３１  湾曲部
４０、４０Ａ  指圧部
【図１】
0003136120.tif 000003
【図２】
0003136120.tif 000004
【図３】
0003136120.tif 000005
【図４】
0003136120.tif 000006
【図５】
0003136120.tif 000007
【図６】
0003136120.tif 000008
【図７】
0003136120.tif 000009